(57)【要約】  胸から母乳を搾乳するためのシステム及び方法であって、母乳は吸引力の下で胸から抽出され、母乳は搾乳機構から収集容器へ排除される。
2021525133.tif 000002
【特許請求の範囲】
【請求項１】
搾乳ポンプ用の容器アセンブリであって、
本体と、
ネック部と、
前記本体に形成される開口部と、
前記ネック部に構成される取り付け具と、を含み、
前記取り付け具は前記ポンプと嵌合するように構成され、前記容器アセンブリはシールされる、又はシール可能な構造を前記ポンプとの組み合わせで画定する、
容器アセンブリ。
【請求項２】
前記開口部が楕円形を画定する、
請求項１に記載の容器アセンブリ。
【請求項３】
前記開口部がスリットによって形成される、
請求項１に記載の容器アセンブリ。
【請求項４】
その上に書き込みをするように構成される表面をさらに含む、
請求項１に記載の容器アセンブリ。
【請求項５】
前記容器アセンブリが、外周に沿って溶接される材料の２つの板から形成される、
請求項１に記載の容器アセンブリ。
【請求項６】
前記ネック部から離れて形成される注ぎ口をさらに含む、
請求項１に記載の容器アセンブリ。
【請求項７】
前記本体に形成される換気口をさらに含む、
請求項１に記載の容器アセンブリ。
【請求項８】
前記本体に形成されるタック溶接部をさらに含む、
請求項１に記載の容器アセンブリ。
【請求項９】
前記本体に形成されるシール部をさらに含む、
請求項１に記載の容器アセンブリ。
【請求項１０】
前記本体に形成されるデュアルフィルム弁をさらに含む、
請求項９に記載の容器アセンブリ。
【請求項１１】
前記取り付け具が反転ボスを含む、
請求項１に記載の容器アセンブリ。
【請求項１２】
前記取り付け具が折り畳み可能である、
請求項１に記載の容器アセンブリ。
【請求項１３】
前記取り付け具がベースから突出する２つのボスを含む、
請求項１に記載の容器アセンブリ。
【請求項１４】
前記ネック部に取り付けられるプラグをさらに含む、
請求項１に記載の容器アセンブリ。
【請求項１５】
注ぎ口、及び前記注ぎ口に取り付けられるゴムリングシールをさらに含む、
請求項１に記載の容器アセンブリ。
【請求項１６】
接着性発泡パッドが前記取り付け具の近くに構成される、
請求項１に記載の容器アセンブリ。
【請求項１７】
前記ネック部と係合するクリップをさらに含む、
請求項１に記載の容器アセンブリ。
【請求項１８】
前記取り付け具とシールして係合するようなサイズ及び形状を有するプラグをさらに含む、
請求項１に記載の容器アセンブリ。
【請求項１９】
２つの容器アセンブリを接続させる嵌め合いコネクタをさらに含む、
請求項１に記載の容器アセンブリ。
【請求項２０】
２つの容器アセンブリを接続させる嵌め合いコネクタをさらに含み、前記嵌め合いコネクタがシール構造を含む、
請求項１に記載の容器アセンブリ。
【請求項２１】
搾乳ポンプシステムの再利用可能な容器アセンブリであって、
第一の部品と、
前記第一の部品とシールするようなサイズ及び形状を有する第二の部品と、
乳房を受けるようなサイズ及び形状を有する漏斗と、を含み、
前記漏斗は前記第一の及び第二の部品と嵌合してシールされて再利用可能な容器アセンブリを完成させる、
再利用可能な容器アセンブリ。
【請求項２２】
前記漏斗が乳首受け入れ部を含む、
請求項２１に記載の再利用可能な容器アセンブリ。
【請求項２３】
前記乳首受け入れ部が外面を含み、
前記第一の及び第二の部品が第一の開口部及び第二の開口部を含み、
前記漏斗の前記外面が前記第一の及び第二の開口部と嵌合してシールする、
請求項２２に記載の再利用可能な容器アセンブリ。
【請求項２４】
前記容器アセンブリが縦に割れて前記第一及び第二の部品を画定する、
請求項２１に記載の再利用可能な容器アセンブリ。
【請求項２５】
前記容器アセンブリが横に割れて前記第一及び第二の部品を画定する、
請求項２１に記載の再利用可能な容器アセンブリ。
【請求項２６】
前記第二の部品が楕円形の開口部を含み、フランジが前記楕円形の開口部と嵌め合う楕円形のベースを含む、
請求項２１に記載の再利用可能な容器アセンブリ。
【請求項２７】
流体を前記容器アセンブリに輸送する導管への接続を画定する取外し可能なプラグをさらに含む、
請求項２１に記載の再利用可能な容器アセンブリ。
【請求項２８】
前記第一及び第二の部品が一緒に溶接される、
請求項２１に記載の再利用可能な容器アセンブリ。
【請求項２９】
前記第一及び第二の部品が互いに取外し可能にシールされる、
請求項２１に記載の再利用可能な容器アセンブリ。
【請求項３０】
前記漏斗が前記第一の部品内に形成される凹部内にフィットするタブをさらに含み、
前記タブ及び凹部が、前記第一の部品内での前記漏斗の適切な位置決めを容易にする、
請求項２１に記載の再利用可能な容器アセンブリ。
【請求項３１】
前記第二の部品が、前記第一の部品の第二のスカロップ状エッジと嵌合するようなサイズ及び形状を有するスカロップ状のエッジを含む、
請求項２１に記載の再利用可能な容器アセンブリ。
【請求項３２】
注ぐために適合される拡張構成を含むバイステーブルポート領域をさらに含む、
請求項２１に記載の再利用可能な容器アセンブリ。
【請求項３３】
前記第二の部品から延びるフープをさらに含み、
前記フープは前記乳首受け入れ部の上に配置されるようなサイズ及び形状を有する、
請求項２２に記載の再利用可能な容器アセンブリ。
【請求項３４】
前記乳首受け入れ部の周りで回転するようなサイズ及び形状を有するロックリングをさらに含む、
請求項２２に記載の再利用可能な容器アセンブリ。
【請求項３５】
ＴＰＥ／ＬＤＰＥ／ＴＰＥ又は同様のバリエーションの層から形成される１つ又はそれ以上の構成要素を含む取り付け具アセンブリをさらに含み、
前記ＴＰＥ部品が嵌めあい部品とのシール材料として利用される、
請求項２１に記載の再利用可能な容器アセンブリ。
【発明の詳細な説明】
【技術分野】
【０００１】
本開示は、概して携帯用搾乳ポンプシステムのための容器アセンブリ、及び授乳期間中の母親の胸から母乳を収集する方法に関する。
【背景技術】
【０００２】
母乳が、乳児にとって最適な栄養供給源であり、授乳期の母親にも健康的恩恵を提供すると考える女性が多くなるにつれ、さまざまな状況において授乳期の母親によって使用するための、ユーザにやさしく、静かで、個別的な、多用途である搾乳ポンプの解決策に対する必要性が増してきている。これは特に、８時間から１０時間、又はそれ以上の間家から離れ、乳児が飲めるように母乳を搾り出す必要がある働く女性に特に当てはまるが、これはまた、母親が、長期間、家庭の私事から離れる多くの他の状況、たとえば買い物中、外食中、又は他の活動に対する要求事項でもある。
【０００３】
多様な搾乳ポンプが入手可能であるが、その多くが扱いにくく、煩雑なものであり、多くの部材及びアセンブリを必要とし、持ち運びが難しい。手動で駆動される手動用ポンプのさまざまなものは、使用するのが面倒であり、不便であり得る。一部の電力式搾乳ポンプは、使用中に差し込むＡＣ電源を必要とする。一部のシステムは、電池駆動式であるが、電動式ポンプは、母乳抽出プロセス中、吸引力を維持するために連続的に作動するため、かなりの速さで電池を消耗させる。入手可能な他のいくつかの搾乳ポンプは便利な貯蔵容器を有していない。貯蔵容器は、梱包、設置、取外し、及び保管が困難であり得て、有効利用の障壁となっている。
【０００４】
したがって、便利に使用できて効果的な、着用可能な携帯用搾乳ポンプ用容器アセンブリに対する継続的な必要性が存在する。本開示は、これらの、そしてその他の必要性に対処する。
【発明の概要】
【０００５】
簡潔に大まかに言えば、本開示は、搾乳ポンプシステム用の容器アセンブリを対象とする。システムは、胸接触構造及び貯蔵容器と、母乳又はその他の液体を胸から収集アセンブリに送る構造とを含む。方法は、母乳を胸から圧送し、圧送された母乳を容器アセンブリに送ることを伴う。開示される様々な容器アセンブリは、使い捨てのものや繰り返し使えるものがあり、又は使い捨てや繰り返し使える部分を含み、容器アセンブリの様々な部分は、硬い又は柔らかい材料の１つ又はそれ以上から作られる。
【０００６】
本開示の一態様によれば、母乳を胸から搾り出すためのシステムは容器アセンブリ、及び：胸と共にシールを形成するように構成された皮膚接触部材又はフランジ；皮膚接触部材と流体連通し、これに連結された導管；導管内に真空プロフィールを確立するように構成された駆動機構；外部シェル；及び演算デバイスによって実行され得てファームウェアと関連し、それによって指示される機能を演算デバイスに実行させる命令をそこに記憶する非揮発性コンピュータ可読媒体；のうちの１つ又はそれ以上を含み、外部シェルは外部シェルの遠位端を向くコンパートメントを含み、外部シェルはさらに近位端の逆方向を向く近位端面を含み、皮膚接触部材、導管、及び駆動機構は、ユーザの胸の形に沿うように形付けられ構成される。
【０００７】
様々な実施形態において、貯蔵容器は本体及び本体から延びる注ぎ口（ｓｐｏｕｔ）を含む。本体は概して楕円形を画定する中央開口部をさらに含んでもよく、又は容器本体の中央部に１つ又はそれ以上のスリットを含んでもよい。別の又は代わりの実施形態において、第二の注ぎ口が本体から延び、本体は空気を除去するための排気口を含む。流体の方向を決め、漏れを最低限とする代わりの、又は別の手法において、様々な内部シール及びそのパターンが本体内に形成される。１つ又はそれ以上の実施形態において、デュアルフィルム弁（ｄｕａｌ  ｆｉｌｍ  ｖａｌｖｅ）構造が容器本体内に構成され、その構造も流体の方向を決めること、及び漏れを最低限とすることの１つ又はそれ以上のために構成される。デュアルボス（ｄｕａｌ  ｂｏｓｓ）、折り畳み（ｆｏｌｄｉｎｇ）、プラグ、リング、クリップなどの取り付け具の様々な手法及び構造が容器アセンブリ本体の様々な実施形態に取り付けられ、シール及び対応する搾乳ポンプシステムアセンブリと嵌め合う構造を生成させるために反転ボス（ｉｎｖｅｒｔｅｄ  ｂｏｓｓ）構造が構成される。一態様において、キャップインタフェースの取り付け具は独特で丸くない。別の関連する構造において、流体容器コネクタに流体容器が提供される。
【０００８】
別の手法において、容器アセンブリは、再利用できる材料及び構造から形成され、その構造は硬い又は柔らかく、又は硬い又は柔らかい部品を含む。容器アセンブリは、１つの部品から、又は複数の部品から作られる。一態様において、容器アセンブリは縦に割れ、第二の部品に溶接された、又は２つの部品の周囲に沿ってシールされる第一の部品を含み、乳首受け入れ部を画定し、アセンブリを完成させる漏斗をさらに含む。アセンブリは、代わりに又は加えて、容器アセンブリの内側へのアクセスを容易にする、又は収集された液体を取り除くための取外し可能なプラグを含んでもよい。別の実施形態において、容器アセンブリは横に割れ、第二の部品に取り付けられた、又は取り付け可能な第一の部品を含み、乳首受け入れ部を画定し、アセンブリを完成させる漏斗をさらに含む。容器アセンブリの構成部品間の様々な他の分割及び取り付けエッジも、特定の実施形態において提供され、容器アセンブリはフランジ構造と統合されたキャビティを画定してもよい。アセンブリは、代わりに又は加えて、容器の内側へのアクセスを提供する取外し可能なキャップを含んでもよい。追加の又は代わりの態様において、容器アセンブリ又はその部分は、フランジアセンブリによって提供される空間を実質的に満たすサイズ及び形状を有する柔らかく、再利用可能な袋を画定する。様々なコネクタ及びリテイナが加えて提供され、閉じた構成及び開いた構成の両方を形成するように、容器アセンブリを繰り返しシールする。
【０００９】
本開示の別の態様によれば、母乳を貯蔵容器内へ搾り出すためのシステムを作動させる方法は：システムを提供することであって、システムは、胸と共にシールを形成するように構成された皮膚接触部材と、皮膚接触部材と流体連通し、これに連結された導管と、圧縮部材を含む駆動機構であって、圧縮部材は、圧縮部材の内方向及び外方向の移動に応答して、導管を圧縮し、導管の圧縮解除を可能にするように構成される、駆動機構と、センサと、駆動機構の作動を制御するように構成された制御装置とを備える、提供すること；皮膚接触部材を胸に対してシールすること；駆動機構を作動させて導管内に所定の圧力サイクルを生成すること；導管に対する圧縮部材の移動の位置及び速度の少なくとも１つを制御装置によって監視すること；導管内の圧力を測定又は算出すること；算出された圧力からのフィードバックならびに、力、圧縮部材の移動の位置及び速度の少なくとも１つに基づいて、必要に応じて圧縮部材の動作を維持又は変更して、所定の圧力サイクルが生成され続けることを確実にすることのうち１つ又はそれ以上を含む。
【図面の簡単な説明】
【００１０】
本開示のこれらの及び他の特徴は、以下でより完全に説明するシステム及び方法の詳細を読み取ることにより、当業者には明らかになるであろう。
【００１１】
【図１Ａ】図１Ａは、本開示の一実施形態に係る搾乳ポンプシステムの斜視図である。
【図１Ｂ】図１Ｂは、図１のシステムの背面図である。
【図２Ａ】図２Ａは、搾乳ポンプシステム内に容器アセンブリを配置するところを示す斜視図である。
【図２Ｂ】図２Ｂは、搾乳ポンプシステム内に容器アセンブリを配置するところを示す斜視図である。
【図３】図３は、容器アセンブリ本体の一手法を示す正面図である。
【図４】図４は、容器アセンブリ本体の別の手法を示す正面図である。
【図５Ａ】図５Ａは、容器アセンブリの本体に注意書きをする場所を示す正面図である。
【図５Ｂ】図５Ｂは、容器アセンブリの本体に注意書きをする場所を示す正面図である。
【図５Ｃ】図５Ｃは、容器アセンブリの本体に注意書きをする場所を示す正面図である。
【図６Ａ】図６Ａは、注ぎ口を備える容器アセンブリの様々な手法を示す正面図である。
【図６Ａ】図６Ａは、注ぎ口を備える容器アセンブリの様々な手法を示す正面図である。
【図６Ｂ】図６Ｂは、注ぎ口を備える容器アセンブリの様々な手法を示す正面図である。
【図６Ｃ】図６Ｃは、注ぎ口を備える容器アセンブリの様々な手法を示す正面図である。
【図６Ｄ】図６Ｄは、注ぎ口を備える容器アセンブリの様々な手法を示す正面図である。
【図６Ｅ】図６Ｅは、注ぎ口を備える容器アセンブリの様々な手法を示す正面図である。
【図６Ｆ】図６Ｆは、注ぎ口を備える容器アセンブリの様々な手法を示す正面図である。
【図６Ｇ】図６Ｇは、注ぎ口を備える容器アセンブリの様々な手法を示す正面図である。
【図７】図７は、排気口を備える容器アセンブリを示す正面図である。
【図８Ａ】図８Ａは、追加のシール部を備える容器アセンブリを示す正面図である。
【図８Ｂ】図８Ａは、追加のシール部を備える別の容器アセンブリを示す正面図である。
【図９】図９は、別の追加のシール部を備える容器アセンブリを示す正面図である。
【図１０】図１０は、追加のシール部を備える容器アセンブリを示す部分図である。
【図１１】図１１は、追加のシール部を備える別の容器アセンブリを示す部分図である。
【図１２Ａ】図１２Ａは、デュアルフィルム弁構造を備える容器アセンブリのさらなる実施形態を示す正面図である。
【図１２Ｂ】図１２Ｂは、閉じられたフィルム弁構造を示す断面図である。
【図１２Ｃ】図１２Ｃは、開かれたフィルム弁構造を示す断面図である。
【図１３Ａ】図１３Ａは、反転ボスを含む取り付け具を示す正面図である。
【図１３Ｂ】図１３Ｂは、図１３Ａの取り付け具を示す態様図である。
【図１３Ｃ】図１３Ｃは、容器アセンブリに取り付けられる図１３Ａの取り付け具を示す斜視図である。
【図１３Ｄ】図１３Ｃは、容器アセンブリに取り付けられる図１３Ａの取り付け具を示す斜視図である。
【図１３Ｅ】図１３Ｃは、容器アセンブリに取り付けられる図１３Ａの取り付け具を示す斜視図である。
【図１４Ａ】図１４Ａは、取り付け具の別の実施形態を示す斜視図である。
【図１４Ｂ】図１４Ｂは、図１４Ａの取り付け具を示す部分断面図である。
【図１４Ｃ】図１４Ｃは、容器アセンブリに挿入される図１４Ａの取り付け具を示す断面図である。
【図１４Ｄ】図１４Ｄは、別の構成の容器アセンブリに挿入される図１４Ａの取り付け具を示す断面図である。
【図１５Ａ】図１５Ａは、別の取り付け具の実施形態を示す斜視図である。
【図１５Ｂ】図１５Ｂは、さらに別の取り付け具の実施形態を示す正面図である。
【図１５Ｃ】図１５Ｃは、さらに別の取り付け具の実施形態を示す斜視図である。
【図１５Ｄ】図１５Ｄは、取り付け具のさらなる手法を示す正面図である。
【図１５Ｅ】図１５Ｅは、取り付け具アセンブリのさらなる別の手法を示す図である。
【図１５Ｆ】図１５Ｆは、取り付け具アセンブリのさらなる別の手法を示す図である。
【図１５Ｇ】図１５Ｇは、取り付け具アセンブリのさらなる別の手法を示す図である。
【図１５Ｈ】図１５Ｈは、取り付け具アセンブリのさらなる別の手法を示す図である。
【図１５Ｉ】図１５Ｉは、取り付け具アセンブリのさらなる別の手法を示す図である。
【図１５Ｊ】図１５Ｊは、取り付け具アセンブリのさらなる別の手法を示す図である。
【図１５Ｋ】図１５Ｋは、取り付け具アセンブリのさらなる別の手法を示す図である。
【図１５Ｌ】図１５Ｌは、取り付け具アセンブリのさらなる別の手法の詳細を示す図である。
【図１５Ｍ】図１５Ｍは、取り付け具アセンブリのさらなる別の手法の詳細を示す図である。
【図１５Ｎ】図１５Ｎは、取り付け具アセンブリのさらなる別の手法の詳細を示す図である。
【図１５Ｏ】図１５Ｏは、取り付け具アセンブリのさらなる別の手法の詳細を示す図である。
【図１５Ｐ】図１５Ｐは、取り付け具アセンブリのさらなる別の手法の詳細を示す図である。
【図１７Ａ】図１７Ａは、容器アセンブリに取り付けられるプラグ構造を示す正面図である。
【図１７Ｂ】図１７Ｂは、取り付け具内に配置される図１７Ｂのプラグ構造を示す正面図である。
【図１８】図１８は、容器アセンブリのシール構造の別の手法を示す正面図である。
【図１９Ａ】図１９Ａは、クリップ構造の一手法を示す正面図である。
【図１９Ｂ】図１９Ｂは、図１９Ａのクリップ構造を示す斜視図である。
【図１９Ｃ】図１９Ｃは、クリップ構造の別の手法を示す正面図である。
【図２０Ａ】図２０Ａは、取り付け具構造を示す斜視図である。
【図２０Ｂ】図２０Ｂは、プラグを示す斜視図である。
【図２０Ｃ】図２０Ｃは、図２０Ａの取り付け具構造内に挿入される図２０Ｂのプラグを示す断面図である。
【図２１Ａ】図２１Ａは、嵌めあいコネクタの第一の実施形態を示す断面図である。
【図２１Ｂ】図２１Ｂは、嵌めあいコネクタの第二の実施形態を示す断面図である。
【図２２Ａ】図２２Ａは、別の取り付け具とプラグ構成を備える容器アセンブリを示す正面図である。
【図２２Ｂ】図２２Ｂは、容器アセンブリの別の取り付け具とプラグ構成を示す正面図である。
【図２３Ａ】図２３Ａは、平らな取り付け具の一実施形態を示す正面図である。
【図２３Ｂ】図２３Ｂは、平らな取り付け具の別の実施形態を示す正面図である。
【図２４Ａ】図２４Ａは、再利用可能な容器アセンブリの一実施形態を示す分解図である。
【図２４Ｂ】図２４Ｂは、再利用可能な容器アセンブリの別の実施形態を示す分解図である。
【図２４Ｃ】図２４Ｃは、再利用可能な容器アセンブリのさらに別の実施形態を示す分解図である。
【図２５Ａ】図２５Ａは、横に割られた再利用可能な容器アセンブリを示す分解図である。
【図２５Ｂ】図２５Ｂは、横に割られた再利用可能な容器アセンブリを示す分解図である。
【図２６】図２６は、横に割られた容器アセンブリの別の手法を示す分解図である。
【図２７Ａ】図２７Ａは、容器アセンブリのさらに別の手法を示す斜視図である。
【図２７Ｂ】図２７Ｂは、容器アセンブリのさらに別の手法を示す分解図である。
【図２８】図２８は、キーによる組立構造を備える再利用可能な容器アセンブリを示す分解図である。
【図２９】図２９は、複数の構成部品を含む再利用可能な容器アセンブリの別の手段を示す分解図である。
【図３０Ａ】図３０Ａは、拡張可能部分を備える容器アセンブリを示す断面図である。
【図３０Ｂ】図３０Ｂは、拡張可能部分を備える容器アセンブリを示す斜視図である。
【図３１】図３１は、フランジと一体で形成される再利用可能な容器アセンブリを示す斜視図である。
【図３２Ａ】図３２Ａは、フランジと一体で形成される容器アセンブリの別の手法を示す分解図である。
【図３２Ｂ】図３２Ｂは、フランジと一体で形成される容器アセンブリの別の手法を示す分解図である。
【図３３Ａ】図３３Ａは、フランジと一体で形成される容器アセンブリのさらなる別の手法を示す斜視図である。
【図３３Ｂ】図３３Ｂは、フランジと一体で形成される容器アセンブリのさらなる別の手法を示す分解図である。
【図３３Ｃ】図３３Ｃは、フランジと一体で形成される容器アセンブリのさらなる別の手法を示す分解図である。
【図３３Ｄ】図３３Ｄは、フランジと一体で形成される容器アセンブリのさらなる別の手法を示す斜視図である。
【図３３Ｅ】図３３Ｅは、フランジと一体で形成される容器アセンブリのさらなる別の手法を示す分解図である。
【図３３Ｆ】図３３Ｆは、フランジと一体で形成される容器アセンブリのさらなる別の手法を示す分解図である。
【図３４】図３４は、回転式ロック構造を備えるフランジを示す斜視図である。
【図３５Ａ】図３５Ａは、フランジと係合する回転式取り付け構造を示す斜視図である。
【図３５Ｂ】図３５Ｂは、フランジと係合する回転式取り付け構造を示す斜視図である。
【図３６Ａ】図３６Ａは、柔らかい容器アセンブリの手法を示す図である。
【図３６Ｂ】図３６Ｂは、柔らかい容器アセンブリの手法を示す図である。
【図３６Ｃ】図３６Ｃは、柔らかい容器アセンブリの手法を示す図である。
【図３６Ｄ】図３６Ｄは、柔らかい容器アセンブリの手法を示す図である。
【図３６Ｅ】図３６Ｅは、柔らかい容器アセンブリの手法を示す図である。
【図３６Ｆ】図３６Ｆは、柔らかい容器アセンブリの手法を示す図である。
【図３６Ｇ】図３６Ｇは、柔らかい容器アセンブリの手法を示す図である。
【図３６Ｈ】図３６Ｈは、柔らかい容器アセンブリの手法を示す図である。
【図３６Ｉ】図３６Ｉは、柔らかい容器アセンブリの手法を示す図である。
【図３６Ｊ】図３６Ｊは、柔らかい容器アセンブリの手法を示す図である。
【図３７Ａ】図３７Ａは、容器アセンブリへの取り付け具を示す斜視図である。
【図３７Ｂ】図３７Ｂは、容器アセンブリへの取り付け具を示す斜視図である。
【図３７Ｃ】図３７Ｃは、容器アセンブリへの取り付け具を示す斜視図である。
【図３８Ａ】図３８Ａは、容器アセンブリの注ぎ口の別の手法を示す図である。
【図３８Ｂ】図３８Ｂは、容器アセンブリの注ぎ口の別の手法を示す図である。
【図３８Ｃ】図３８Ｃは、容器アセンブリの注ぎ口の別の手法を示す図である。
【図３８Ｄ】図３８Ｄは、容器アセンブリの注ぎ口の別の手法を示す図である。
【図３８Ｅ】図３８Ｅは、容器アセンブリの注ぎ口の別の手法を示す図である。
【図３８Ｆ】図３８Ｆは、容器アセンブリの注ぎ口の別の手法を示す図である。
【図３８Ｇ】図３８Ｇは、容器アセンブリの注ぎ口の別の手法を示す図である。
【図３８Ｈ】図３８Ｈは、容器アセンブリの注ぎ口の別の手法を示す図である。
【図３８Ｉ】図３８Ｉは、容器アセンブリの注ぎ口の別の手法を示す図である。
【図３８Ｊ】図３８Ｊは、容器アセンブリの注ぎ口の別の手法を示す図である。
【図３８Ｋ】図３８Ｋは、容器アセンブリの注ぎ口の別の手法を示す図である。
【図３９Ａ】図３９Ａは、容器アセンブリのキャップと注ぎ口の別の手法を示す図である。
【図３９Ｂ】図３９Ｂは、容器アセンブリのキャップと注ぎ口の別の手法を示す図である。
【図３９Ｃ】図３９Ｃは、容器アセンブリのキャップと注ぎ口の別の手法を示す図である。
【図３９Ｄ】図３９Ｄは、容器アセンブリのキャップと注ぎ口の別の手法を示す図である。
【図３９Ｅ】図３９Ｅは、容器アセンブリのキャップと注ぎ口の別の手法を示す図である。
【図３９Ｆ】図３９Ｆは、容器アセンブリのキャップと注ぎ口の別の手法を示す図である。
【図３９Ｇ】図３９Ｇは、容器アセンブリのキャップと注ぎ口の別の手法を示す図である。
【図３９Ｈ】図３９Ｈは、容器アセンブリのキャップと注ぎ口の別の手法を示す図である。
【図４０Ａ】図４０Ａは、容器アセンブリの排気口と排気の別の手法を示す図である。
【図４０Ｂ】図４０Ｂは、容器アセンブリの排気口と排気の別の手法を示す図である。
【図４０Ｃ】図４０Ｃは、容器アセンブリの排気口と排気の別の手法を示す図である。
【図４０Ｄ】図４０Ｄは、容器アセンブリの排気口と排気の別の手法を示す図である。
【図４０Ｅ】図４０Ｅは、容器アセンブリの排気口と排気の別の手法を示す図である。
【図４０Ｆ】図４０Ｆは、容器アセンブリの排気口と排気の別の手法を示す図である。
【図４０Ｇ】図４０Ｇは、容器アセンブリの排気口と排気の別の手法を示す図である。
【図４０Ｈ】図４０Ｈは、容器アセンブリの排気口と排気の別の手法を示す図である。
【図４０Ｉ】図４０Ｉは、容器アセンブリの排気口と排気の別の手法を示す図である。
【図４０Ｊ】図４０Ｊは、容器アセンブリの排気口と排気の別の手法を示す図である。
【図４０Ｋ】図４０Ｋは、容器アセンブリの排気口と排気の別の手法を示す図である。
【発明を実施するための形態】
【００１２】
本発明のシステム及び方法が説明される前に、本開示は、説明する特定の実施形態に限定されず、したがって、当然ながら変動し得ることを理解されたい。また、本明細書において使用する用語は、特定の実施形態を説明する目的にすぎず、本開示の範囲は付属の特許請求の範囲によってのみ限定されるため、限定的であるように意図されないことも理解されたい。
【００１３】
値の範囲が提供される場合、文脈がそうではないと明確に定めない限り下限の単位の１０分の１までの、その範囲の上限値と下限値の間の各々の介在する値もまた、詳細に開示される。記述する範囲内の任意の記述する値または介在する値と、その記述する範囲内の任意の他の記述するまたは介在する値との間のより小さい範囲は、本開示に包含される。これらのより小さい範囲の上限値及び下限値は、独立的に、その範囲内に含まれても、除外されてもよく、いずれかの限界値または両方の限界値が、そのより小さい範囲内に含まれる場合、またはいずれの限界値もそのより小さい範囲内に含まれない場合の各々の範囲もまた、任意の具体的に除外される限界値が記述する範囲内にあることを条件として、その開示に包含される。記述する範囲は、限界値の一方または両方を含み、これらの含まれた限界値のいずれかまたは両方を除外する範囲もまた、本開示内に含まれる。
【００１４】
別途定義されない限り、本明細書において使用するすべての技術的及び科学的用語は、本開示が属する技術分野の当業者によって一般的に理解されるのと同じ意味を有する。本明細書において説明するものに類似するまたは等価の任意の方法及び材料が、本開示の実践または試験において使用することができるが、好ましい方法及び材料は、次に、説明される。本明細書において記載するすべての公報は、その公報が関連して引用される方法及び／または材料を開示し、説明するために、参照によって本明細書に組み込まれる。
【００１５】
本明細書及び添付の特許請求の範囲において使用するように、「１つ（ａ）」、「１つ（ａｎ）」、及び「その」は、文脈が別途明確定めない限り、複数の指示対象も含むことが留意されなければならない。したがって、たとえば、「１つのセンサ」は、複数のそのようなセンサを含み、「そのポンプ」への参照は、１つまたは複数のポンプ及び当業者に知られているその等価物などへの参照などを含む。
【００１６】
本明細書において論じる公報は、本願の出願日より前のその開示のためだけに提供される。提供される公報の日付は、実際の正確な公報日付とは異なる場合があり、独立的に確認することが必要になり得る。
【００１７】
本システムの様々な詳細説明は、それぞれ２０１５年７月２１付けのＰＣＴ出願番号ＰＣＴ／ＵＳ１５／４１２５７、ＰＣＴ／ＵＳ１５／４１２７１、ＰＣＴ／ＵＳ１５／４１２７７、ＰＣＴ／ＵＳ１５／４１２８５、２０１５年９月１６日付けのＰＣＴ／ＵＳ１５／５０３４０、２０１７年２月９日付けのＰＣＴ／ＵＳ１７／１７１１２、及び２０１７年２月９日付けのＰＣＴ／ＵＳ１７／１７２１２に記載されており、これらの全体がここで参照され援用される。
【００１８】
図１Ａ−Ｂは、本開示の実施形態に係る搾乳ポンプシステム１０の斜視図及び背面図である。搾乳ポンプシステム１０は、下に紹介又は説明される特徴又は機能又はそれらの組み合わせの１つ又はそれ以上を含んでもよい。システム１０のハウジング又は外部シェル１２は、ユーザの胸の形に沿うように形付けられ構成されてもよく、それにより、ユーザの衣服の下で、より自然な見栄えを提供する。図面から明らかなように、システムは自然な胸のプロフィールを画定できる。自然な胸のプロフィールとは、ユーザのブラの中に快適に便利にフィットし自然な見栄えを示すことであると考えられる。非対称なパターンを有する曲面がベースから延びる。さらに、自然な胸のように、デバイス又はシステムのプロフィールは、１つ又はそれ以上の非対称曲線、及び中心からはずれた重心を画定すると考えられる。ユーザの好みや要求に合わせて様々な自然な胸の形状の選択肢が提供されてもよい。ポンプシステム１０の逆側には、ユーザの胸と係合するようなサイズ及び形状を有するフランジ１４が構成される。フランジ１４は、広範囲のユーザの体に対して快適にフィットし、胸の組織とピッタリ係合するような構造を提供するような形を有する。
【００１９】
容器アセンブリ１２０をシステム１０に載せる様々なステップが図２Ａ−Ｂに示される。第一のステップにおいて（図２Ａ）、フランジ１４はシステム１０の残りの部分との係合から外される。フランジに取り付けられるのは柔らかい導管又はチューブ３２である。容器アセンブリ１２０の中央部はフランジ１４の中央突起部１１０及び柔らかい導管又はチューブ３２の上に配置される。次に、ユーザは容器アセンブリをつまみ、柔らかい導管又はチューブ３２の下に置いてもよく、続いて容器１２０をフランジ１４の中にたくし入れる。容器アセンブリ１２０の内部への開口部１３２（図２及び３を例として参照）は、柔らかい導管又はチューブ３２と、ポンプ出口１３８を介してなどで流体連通している。一旦接続されると、ドアアセンブリ９０は柔らかい導管又はチューブアセンブリ８２及びポンプ出口接続（図１Ａを参照）の上で回転されてもよく、部品間の支持と堅牢な係合が提供される。
【００２０】
ドアアセンブリ９０（図１Ｂを参照）は、ユーザの胸と係合するためのフランジ１４の連続的な輪郭を提供するため、及び容器アセンブリ１２０とシステム１０との係合を支持するための両方の目的で採用されてもよいと考えられる。したがって、ドアアセンブリ９０は、フランジ１４に対してピボットするように構成され、それがスナップ留めされてポンプを閉じることによりシステム１０を閉じるように採用されてもよい。この手法によれば、容器アセンブリ１２０はドアアセンブリ９０内にしっかりと挟まれる。
【００２１】
下に示される実施形態と関連して説明されるとおり、システム１０は、容器アセンブリ内に汲み上げるように構成されてもよい。１つ又はそれ以上の手法において、容器アセンブリは、袋アセンブリに取り付けられ得る、又はそれと一体で形成され得る取り付け具の様々な実施形態を含んでもよく、取り付け具は、袋構造又は容器アセンブリ内部への入口を画定するその他の構造を画定する１つ又はそれ以上のシートと関連する、又はそれに沿って成型される。そのような取り付け具は、ポンプ構造と、特に母乳が汲み上げられる柔らかい導管又はその他の導管と嵌りあうように構成される。シール及び／又は気密性構造は、漏れを許さず液体及び気体を保持できる。
【００２２】
少なくとも１つの実施形態において、搾乳システムと容器アセンブリとの間に構成される弁（図示せず）が開いて、母乳収集容器への流れを可能とする圧力は約２５ｍｍＨｇである。弁は、圧力が例えば約２５ｍｍＨｇ、又は別の所定の「開放圧力」などの正圧のときに流体の流れを可能とするように構成され、設計されてもよい。弁はまた、容器アセンブリ自体に含まれてもよい。
【００２３】
ここで図３を参照して、シールされる、又はシール可能な容器アセンブリ１２０の一実施形態が示される。特定の一実施形態において、容器アセンブリ１２０は、アセンブリの周囲１２２に沿って接合（すなわち溶接）される約２．５〜３．０ミリインチの平面材から形成されてもよく、３．５オンスまで、又は代わりに８オンス又はそれ以上の流体を保持するようなサイズを有してもよい。容器アセンブリ（例えば４オンス、８オンス）の本体はフランジ１４（２４ｍｍ、２７ｍｍサイズなど）内にフィットするような形状を有し、内部シールによって作られる概して楕円形の開口部１２４を含む。狭いネック部１２８は、中央に配置され、中央開口部１２４から離れて長手方向に延びている。容器アセンブリ１２０は、再封可能であってもよく、再利用可能であってもよく、より大きい開口部又はより小さい開口部を含み、又は内容物を注ぐための注ぎ口構造を含み得る。丸みをつけた肩部及び内側開口部を備え、体積容量は、約６オンス又はそれ以上でもよい。
【００２４】
さらに、ある特定の実施形態では、容器アセンブリ１２０は、ポリエチレンから作られ、ビスフェノールＡ無添加でもよく、食品等級材料でもよい。引き裂かれることなく凍結可能であり、摂氏約−８０度の温度に耐えることができる。さらに、引張強度は２３００−２９００ｐｓｉ、引裂強度は４４０−６００ｐｓｉ、水蒸気透過率の最大値は約０．５グラム／１００平方インチ／２４時間であり、酸素透過速度は約１５０ｃｃ／１００平方インチ／２４時間でもよい。代替の実施形態では、容器アセンブリの材料は、例えば、ゴアテックス（登録商標）（Ｇｏｒｅｔｅｘ）又はタイベック（Ｔｙｖｅｋ）を含んでもよい。そのような代替材料は、容器アセンブリが流体を保持している間に、容器アセンブリに汲み上げられた空気が材料を通って逃げるようなアウトガスを可能にすることができる。この特定の観点から、システムを換気するための他の換気口又は手法を、１つ以上の実施形態に組み込むことができる。したがって、搾乳システムを使用している間、又は使用後に、容器アセンブリの自己換気又は能動的換気を達成することができる。
【００２５】
図４に示すように、容器アセンブリ１２０は、中央の楕円形の開口部を欠き、代わりに、容器アセンブリが母乳搾乳システム内に配置されたときに開くように構成された十字架１３０を定義するような、切込み線（ｓｃｏｒｅ）又はスリットが入った材料によって画定される中央部分を含んでもよい。この手法は、中央の開口部を作成する必要がなく、そこから材料を除去する必要がないので、製造が容易になる傾向がある。様々な図に示される実施形態において、アセンブリ内部への開口部１３２は、ネック部に位置する。
【００２６】
図５Ａ−Ｃに示すように、容器アセンブリはまた、書き込み可能なスペースを画定するために指定される領域１４０を含む。搾乳セッションに関連するものなどの様々な情報をそのような領域に書き込むことができ、そのような領域は、容器アセンブリ上のどこにでも設けることができる。特筆すべきことに、容器アセンブリ上のこのような印刷及び他の印刷は、透明又は他に好都合に構成されたフランジを通してユーザによって見ることができ、同様に、位置合わせインジケータが容器アセンブリ上に提供されている場合にも有用である。例えば、容器アセンブリへの開口部の周りの色付きリングは、乳房がフランジに入る必要がある場所であるフランジトンネルの周りの領域を強調することができる。
【００２７】
図６Ａ−Ｇを参照して、様々な実施形態において容器アセンブリ１２０はさらに収集した母乳を注ぐための追加の注ぎ口１５０を含む。そのような注ぎ口１５０は、容器アセンブリ本体近くの様々な場所に配置されてもよい。注ぎ口のための出口が注ぎ口の材料を切ることによって作られてもよく、又は注ぎ口が切込み線又は再封可能な開口部を加えて含んでもよい。
【００２８】
加えて、又は代わりに、容器アセンブリ１２０は、ポーレックス換気口（Ｐｏｒｅｘ  Ｖｅｎｔ）又はその等価物などの１つ又はそれ以上の換気口１６０をさらに含む（図７を参照）。換気口１６０は、母乳搾乳システム又は容器に取り付けられているか、又は一体的に配置された一方向弁がある容器アセンブリ１２０に母乳が汲み上げられている間、空気を解放する。一実施形態において、一旦換気口１６０が湿気にさらされるか、又は他の方法で詰まると、換気口は空気又は流体の通過をもう許容しない。しかし、換気口が再び乾燥した場合、換気口は、まだいくらか空気の流れを許容することができる。したがって、換気口１６０が湿気にさらされる場合、換気口１６０は、シールされて流体の漏れを回避する。この特定の容器アセンブリ１２０は、空気を排出するために乾燥した状態を維持する必要がある例えばポーレックスパッチの機能を維持するためなど、容器アセンブリ内で収集された母乳及び空気を所望の方法で転送することにより、換気口１６０の操作及び機能を容易にする内部シール１６２により特徴づけられる。したがって、一実施形態において、内部シール１６２は、換気口が機能的であり続け、容器アセンブリから外への空気通過を可能に維持するように、換気口から流体を迂回させる。その結果、ユーザは、容器の容積が空気で損なわれることなく、より多くの流体を容器アセンブリ１２０内に汲み上げることができ、容器アセンブリ１２０は、保管されるときに、より低いプロフィールを定義する。さらに、この手法は、特に、乳房との複数の再配置のために、より多くの空気をシステム内に汲み上げてしまう可能性がある搾乳ポンプシステムの新しい使用者にとっては、１回の搾乳セッションで使用される容器アセンブリの数を減らすことにつながる。
【００２９】
別の手法（図８Ａ）において、容器アセンブリ１２０は、容器アセンブリ１２０の肩部に追加のシールポイント又はタック溶接部を含む。そのようなタック溶接部１７０は、搾乳セッションを完了した後の容器１２０の取外し及び取扱い中の流体の逆流及び母乳のこぼれを防止するために、容器フィルム層間の接着力を増加させる。さらに、そのようなタック溶接部又は層間の他の接着は、ポンプシステムの正圧によって容器内の流体の流れを不利に阻害することはないが、外向きの流れを制限し、したがってこぼれも制限する。
【００３０】
図８Ｂを参照して、収集された母乳が容器アセンブリに入らないように迂回させるように構成される一対の内部シール１６２を含む容器アセンブリ１２０が示される。この実施形態はさらに、母乳を受けないように配置されるがユーザによってその上に書き込みができる領域として提供されるシール部１７２を含む。この実施形態はさらに、容器アセンブリ１２０の下部内に構成される注ぎ口１５０を含む。
【００３１】
図９−１１に示すように、容器アセンブリの追加の部分又は代替の部分は、一緒にシールされるか、又はタック溶接されることができる。１つの手法において（図９）、容器フィルムは、取り付け具１８０の後部部分に対してシールされる。ここでは、取り付け具についての概して鍵穴形状の経路１８２が取り付け具の近くに、柔らかい導管から取り付け具１８０を通って容器アセンブリ１２０の本体内への流体経路を規定するように作成される。交互のシールパターン１９０、２００（図１０−１１）もまた、取り付け具１８０から容器アセンブリ１２０本体への望ましい経路を作成するために、代わりに又は加えて採用される。そのようなシールパターンは、所望のフィルム張力及び搾乳ポンプのパージ効率を達成するように調整又は構成される。
【００３２】
別の実施形態において、図１２Ａ−Ｃに示されるように、容器アセンブリ１２０は、デュアルフィルム弁２１０を含む。デュアルフィルム弁２１０は、容器の内部にシールされた追加のフィルム層から形成される。シールされる層の様々なパターンが採用され得る。特定の一実施形態では、層は、容器アセンブリの形状に対応するために、ウィッシュボーン形の形状を定義する。フィルム弁２１０は、取り付け具１８０の背面側にシールされ、流体は、ウィッシュボーン構造を通って流れ、容器アセンブリ１２０の本体内に出る。流体が取り付け具を通ってパージされ二重フィルム弁を出るか、又は流体が容器アセンブリ内に押し込まれているところでは、層が分離し、容器アセンブリ内での流体の通過を可能とする（図１２Ｃ）。止まっている状態又は受動的な圧力の下（図１２Ｂ）では、フィルム層は一緒になり、弁として機能する（フィルム層は、張力下でシールされたままである）。二重層の形状は、望ましい流量制限のため、又は弁としての効率のためなど、二重層弁の性能を調整するために変更することができる。
【００３３】
次に図１３Ａ−Ｅを参照して、容器アセンブリ１２０のための取り付け具２３０の別の手法が示される。この取り付け具２３０は、ベース２３３から突出する反転した取り付け具ボス２３２を含み、ボス２３２と内部バッグ表面との間の十分なフィルム張力を増加させるか、又は提供するように構成され、容器からの流体の逆流を阻止する（図１３Ｅ）。ベース２３３の反対側から突出すのは、容器アセンブリ１２０内への通路を画定する円筒状のボス２３４である。そのように構成されているため、反転したボス２３２は、流体の逆流及び収集された母乳のこぼれを減少させるように機能する。従って、母乳のこぼれの可能性を最小限に抑えながら、搾乳セッションを完了した後の容器アセンブリ１２０の取り外し及び取り扱いに関して、より大きな柔軟性がユーザに提供される。
【００３４】
ここで図１４Ａ−Ｄを参照して、二重ボス取り付け具２４０が示される。第一のボス２４２は、概して楕円形のベース２４３から垂直に延び、容器アセンブリ１２０内への通路を画定する貫通孔を含む。第二のボス２４４は、第一のボスから間隔をあけて、ベース２４３の反対側から突出している。この実施形態において、ベース２４３は、第二のボス２４４が第一のボス２４２と整列するように、ヒンジ又は同等の構造を介して折り畳むことができる。図１４Ｃに示すように、デュアルボス取り付け具２４０が容器アセンブリ１２０内に構成されているときに、ボスがそのように整列するように、ベースが最初に折り畳まれる。あるいは、図１４Ｄに示すように、デュアルボス取り付け具は、折り畳まれていない構成で容器アセンブリ内に構成され、次いで、第二のボス２４４が第一のボス２４２の中で係合するように、容器フィルムを使用して締まりばめを形成するように折り畳まれる。このように、２つのボスを一緒にピンチすることは、第二のボス２４４がキャップとして動作する容器アセンブリ１２０への開口部を閉じるように機能する。このような閉じた構成では、容器アセンブリ１２０はシールされ、容器が母乳通路の一部として組み立てられるまで無菌状態が維持される。
【００３５】
折り畳み可能な取り付け具の代替的な手法が、図１５Ａ−Ｄに示される。図１５Ａに描かれた取り付け具２５０は、第一のボス２５４のベース２５３と第二のプラグボス２５５との間に束縛紐（ｌｅａｓｈ）構造２５２を有することを特徴とする。図１５Ｂ及びＣに示される取り付け具２６０、２７０は、貫通孔を含む第二のボス２６４、２７４及び概して楕円形のベース２６５、２７５を含む。これらの手法では、キャップシールが、押圧又は干渉を介して取り付け具に対して形成される。図１５Ｄに描かれた取り付け具の手法２８０は、ベース２８２に形成された貫通孔を分割する線に沿って折り畳まれるベース２８２を含む。
【００３６】
取り付け具のさらなる追加的又は代替的な特徴が、図１５Ｅ−Ｋに示されている。図１５Ｅに描かれるように、キャップ又はプラグは、シール構造を提供するために、第二の、概して平らな取り付け具を通って飛び出すように構成された環状リブ２８３を、代替的又は追加的に含んでもよい。ここで、キャップは、袋フィルムの外側に構成される。図１５Ｆは、取り付け具に追加的又は代替的な構造として含めることができる鋭いシール内部バーブ２８４の構造を含む取り付け具を示している。バーブ２８４が嵌合構造（それぞれがＬＤＰＥから形成されてもよい）に押し付けられると、それは、取り付け具の外側表面に対してシールするように機能する。さらに、図１５Ｇに示すように、取り付け具は、尾部を欠き、概して涙滴の形状２８５を画定してもよく、これは、より少ないスペースを取りながら母乳の流れを可能にするために同様に機能する。部品間のスナップ触覚フィードバックもまた、様々な取り付け具に組み込むことができる（図１５Ｈ）。すなわち、環状の内部バーブ２８６は、嵌合構造に対してシールするように構成される。一態様において、この機能性を可能にし、かつ容易にする概して砂時計の形状が提供される。関連する手法が図１５Ｉに示されているが、ここで、取り付け具は、取り付け具ボスに挿入されると、取り付け具ボスの環状アンダーカットを越えて飛び出す環状リブ２８７を有するキャップを代替的に又は追加的に含むことができ、シールを形成するだけでなく、スナップの触覚及び聴覚のフィードバックを提供する。さらに、取り付け具・アセンブリは、キャップと取り付け具部分を接続する狭くなったウエスト部２８８を含むこともでき、ウエスト部は部品の折り畳みを容易にしてもよく（図１５Ｊ参照）、又は代わりに、部品は分離されて、図１５Ｋに示される取り付け具の配置のような向きとされてもよい。
【００３７】
ここで図１５Ｌ−Ｐを参照して、低プロフィールの取り付け具、部品間の自己包含の圧縮、及びアセンブリの補助を提供するためのシール構造としての材料インタフェースを活用する追加のアセンブリが示される。１つの手法（図１５Ｌ−Ｍ）では、短い平らな取り付け具ボス２９０は、ＴＰＥ材料から形成される第二のショットセクション（ｓｈｏｔ  ｓｅｃｔｉｏｎ）を含む一方向弁アセンブリ２９１と係合し、シールするように構成されている。このように、容器アセンブリは、低プロフィール構造をとることが可能であり、容器アセンブリとは別の異なる弁アセンブリとシールするように構成されている。このような低プロフィールの手法により、容器アセンブリが、出荷時及び保管時の両方において、より少ないスペースを占めることが可能になる。タブ２９３は、一方向弁アセンブリ２９１に設けられ、円形（図１５Ｌ）又は長方形（図１５Ｍ）のパターンで配置することができる。代替的又は追加的に、平らな取り付け具２９０は、１つ又はそれ以上のＯ−リング２９４（図１５Ｎ）に対してシールされる。ここでは、弁アセンブリ構造は、平らな取り付け具に圧縮を加えて、それをＯ−リング２９４に押し付け、面シールを形成する。さらに、代替的又は追加的に、平らな取り付け具の内径２９５は、弁アセンブリボス２９６（図１５Ｏ）の外径を形成する第二のショット（ｓｈｏｔ）ＴＰＥ表面に対してシールするように配置される。したがって、シールのための圧縮は、半径方向の干渉によって提供される。別の態様において、弁アセンブリボスは、ＴＰＥ外径を有することができ、角度を有するか、又は平坦な頂部を有することができ、平らな取り付け具は、容器アセンブリへの母乳の流れを補助するために、反転ボスをさらに含むことができる。
【００３８】
さらなる態様において、取り付け具の１つ以上の構成要素は、ＴＰＥ部品が嵌めあい部品とのシール材料として利用されるように、ＴＰＥ／ＬＤＰＥ／ＴＰＥ又は同様のバリエーションの層から形成されてもよい。したがって、様々な態様において、これは、ポリプロピレンのみで作られる弁アセンブリを可能とする。さらに、弁アセンブリの取り付け具ボスは、硬い材料から柔らかい材料の半径方向シールが提供されるように、ＬＤＰＥ取り付け具とシールして係合するＴＰＥから形成することができる。取り付け具は、代わりに、又は加えて、ＴＰＥ材料からスタンプ／ダイカットされるが、幾何学的な部分構造が必要に応じて撓みを提供し、支持剛性のためのより剛性の高い部分を提供するが、剛性がシールに必要であり、ユーザの組立力を減少させるために撓みが必要である。弁アセンブリは、代わりに、又は加えて、容器の取り付け具に対してインタフェースしてシールするオーバーモールドされたＴＰＥ表面を含んでもよい。さらに、平らな取り付け具は、弁アセンブリのＴＰＥ面とシールする面を含むことができ、この組み合わせは、システムドアが部品の上で閉じられるとシールを作成する。ＴＰＥ円筒状部品２９７もまた、取り付け具材の間に配置されることができ（図１５Ｎを参照）、ここで、取り付け具がＴＰＥ部品内に配置されるまでは、最初はＴＰＥ部品２９７について環状の空間が存在し、それによって必要なシールを作成し、空間を閉じることができる。また、別の態様において、サントプレン（Ｓａｎｔｏｐｒｅｎｅ）弁アセンブリ部品が提供され、それは、そこに隙間があるように自然に静止し、第二の部品が挿入されると、隙間を閉じてシールを作成するようにサントプレン部品が外側に押し出される。
【００３９】
ある特定の手法（図１６Ａ−Ｂ）では、容器アセンブリ１２０のネック部１２８に取り付けられた、又は形成された取り付け具１８０内で受けられるように大きさ及び形状が設定されたゴム製プラグ３０８を有するように構成される容器アセンブリ１２０が提供される。ネックアセンブリ１２８は、プラグ３０８が取り付け具１８０内でシールして受けられるように折り畳まれている。図１７Ａ−Ｂに示す関連する手法では、容器アセンブリ１２０は、注ぎ口１５０が所定の位置に折り畳まれたときに取り付け具１８０の外面に対してシールするように構成されるゴムリング３０９を備えた注ぎ口構造１５０を具現化する。プラグ及び取り付け具の様々な位置が可能であることを理解されたい。例えば、プラグは、ネック部分から取り外された容器の本体上に、代わりに又は加えて配置されてもよい。取り付け具に関するこれらの及び他の手法では、嵌め合い部品の内部及び／又は外部構造は、部品間の適切な位置合わせが容易になるように、固有の及び／又は非円形の係合面及び構造を採ってもよい。さらに、取り付け具及びプラグの１つ又はそれ以上は、その嵌め合い部品上のアンダーカット棚と係合する環状スナップを含んでもよい。
【００４０】
図１８Ａ−Ｂに示すように、容器アセンブリ１２０のネック１２８は、それもまた、取り付け具が、取り外し可能な接着ライナーを含む接着性発泡パッド３１０をさらに備える容器アセンブリ１２０をシールするために使用することができる。ここで、ネック１２８は、シールを形成するために発泡パッド３１０の上に折り畳まれる。加えて、さらに別の態様（図１９Ａ−Ｃ）において、様々な折り畳み可能なクリップ３２０、３３０は、閉じたときに、容器アセンブリ１２０を係合させてシールするために提供され得る。さらに（図２０）、独立したキャップ３４０は、シールとして機能するために、加えて又は代わりに、取り付け具１２０と嵌め合うように提供されてもよい。
【００４１】
次に図２１Ａ−Ｂを参照して、母乳を１つの容器から別の容器に移すことができるように、２つの容器アセンブリ１２０の間に嵌め合い構造を提供するように構成される嵌め合いコネクタ３５０、３６０が示される。図２１Ａに示すように、嵌め合いコネクタ３５０は、取り付け具１８０の外面の近くでシールして嵌合するようなサイズ及び形状を有し、嵌め合いコネクタを閉じるように構成されるキャップ３５２をさらに含む。図２１Ｂに示される嵌め合いコネクタ３６０は、シールとして機能する一方向弁３６２を含むことができ、取り付け具の内部に適合するようなサイズ及び形状を有してもよい。代わりに、このコネクタは、一方向弁を欠くことができ、したがって、容器アセンブリの間で液体を移送するための構造を画定してもよい。これらの構造は、別個の部品であってもよく、又は取り付け具などの既存のシステム構成要素と統合されてもよい。このような配置を使用することにより、母乳搾乳システムのユーザは、その後、複数の容器からの母乳を組み合わせることができ、これは、貯蔵を必要とする容器の数を減らすのに役立ち、ユーザが、特定の量の母乳を容器に貯蔵し、後の授乳を容易にすることを可能にする。
【００４２】
図２２Ａ−Ｂを参照すると、取り付け具１８０を有し、取り付け具１８０内で受けられるように構成されるプラグ３７０、３８０を含む容器アセンブリ１２０のさらなる実施形態が示される。第一の手法（図２２Ａ）では、取り付け具１８０及びプラグ３７０は、容器アセンブリ１２０内に形成される楕円形の開口部３７２内に配置され、容器アセンブリ１２０に取り付けられる。第二の手法（図２２Ｂ）では、２つの別個の穴３８２が容器アセンブリ１２０内に形成され、取り付け具１８０及びプラグ３８０を個別に受けるようなサイズになっている。
【００４３】
図２３Ａ−Ｂは、平らな取り付け具３９０、４００を含む容器アセンブリ１２０を示す。そのような平らな取り付け具３９０、４００は、その構造が容器の層間に配置されるように、上述の実施形態と同様に構成される単純な低プロフィール構造を有することを特徴とする。取り付け具に形成された貫通穴３９２、４０２は、容器アセンブリ１２０の内部へのアクセスを提供する。
【００４４】
上述のとおり、ここで開示される容器アセンブリは、使い捨て、又は再利用可能であり得て、剛性材料又は可撓性材料のうちの１つ以上から部分的に又は全体的に形成され得る。さらに、容器アセンブリは、胸インタフェース構造を含み、したがって、フランジを置き換える、又は組み入れてもよく、又は母乳搾乳システムのフランジに取り付けられてもよい。このように、様々な実施形態において、容器アセンブリは、搾乳ポンプと組み立てられるように構成され、ポンプは、ホール効果センサ又は弁構造などを介しての搾乳の前に、その存在を認識するように構成される。特定の手法においては、容器アセンブリは、複数のフランジ及びサイズに適合する。以下に開示されるそれぞれの特徴は、開示されるそれぞれの容器アセンブリについて、追加的又は代替的な構造を画定してもよい。次に図２４Ａ−Ｂを参照して、複数の部品から形成される再利用可能な容器アセンブリ４５０が示される。第一の手法では、容器アセンブリ４５０は、組み立てられた搾乳ポンプシステム（図１Ａ参照）の内部に保持されるように構成される第一の部品４６２と、第二の部品４６４とによって画定され、それらはそれぞれ漏斗４６６と嵌合し、第二の部品４６４と、漏斗が母乳搾乳システムの外表面を画定する。漏斗４６６は、乳首受け部４６８を含み、以前に開示された実施形態に関連して提示されたフランジに置き換わる。漏斗４６６の乳首受け部４６８の外側表面は、第一及び第二の部品４６２、４６４から取り外し可能に構成される。乳首受け部４６８の外側表面は、第一の部品４６２に形成される開口部とシールするようなサイズ及び形状を有し、漏斗４６６の概して円形のベース４６９は、第二の部品４６４に形成される開口部とシールし、３つの構成要素は、協働して、それによって、母乳搾乳システムによって汲み上げられる母乳を受け取るための筐体を画定する。容器アセンブリ４５０は、概して縦の方向に分割されており、第一の部品４６２は、２つの部品の外周に沿って溶接またはシールによって第二の部品４６４に接続される。２つの部品の外周は、搾乳システムの外側シェルと一致する。アセンブリは、洗浄のため及び／又は収集した母乳をそこから注ぐために、容器アセンブリ４５０の内部へのアクセスを容易にする、取り外し可能なプラグ４７０を代わりに又は加えて含んでもよい。取り外し可能なプラグ４７０、又は代わりに、プラグを欠いたアセンブリにおけるその対応する構造は、フレックス導管又はチューブ及び関連する取り付け具と嵌合するか、又は他に受けるようなサイズ及び形状を有する開口部４７２を含む（図２Ａを参照）。この開口部４７２は、フレックス導管と嵌め合う取り付け具（図示せず）を備えてもよい。取り付け具の第二の端部は、乳首、又は乳首受け部分の外側から突出する延長部４７３とシールして係合するようなサイズ及び形状を有する。その組み立てられた構成において、容器アセンブリ４５０は、後で使用するために保管することができ、分解すると、部品は将来の使用のために便利に洗浄することができる。関連する手法（図２４Ｃ）において、漏斗４６６は、対応する構造又は第二の部品４６４の開口部と嵌合する概して楕円形のベース４６９を有する。楕円形のベースは、漏斗４６６を第一及び第二の部品４６２、４６４に適切に組み立てることにより使用者を支援する。
【００４５】
図２５Ａ−Ｂを参照して、再利用可能な容器アセンブリ４８０の別の手法が示される。ここで、容器アセンブリ４８０は、概して横方向に分割され、容器アセンブリ４８０の上部を画定する第一の部品４８２と、第一の部品４８２とシールするか、又は第一の部品４８２に溶接される容器アセンブリ４８０の底部を画定する第二の部品４８４とを含む。アセンブリはさらに、上述したような方法で第一及び第二の部品４８２、４８４と嵌合する漏斗４８６を含み、母乳を保持するための容器と、嵌合して搾乳ポンプアセンブリを完成させる容器とを作成する。プラグ４８８が第二の部品４８４と着脱可能に嵌合するようにさらに提供され、容器アセンブリの内部へのアクセスが提供されてもよい。さらに、前記のように、容器アセンブリは、母乳がポンプで汲み上げられるフレックス導管又は他の構造物とシールして嵌合するようなサイズ及び形状に構成される。図２６に示すように、第一及び第二の部品４８２、４８４を嵌合させる構造は、シール面４８９を含んでもよい。１つの手法において、この構造は、堅牢な嵌合又は取り付けのための追加の強度を提供するために、第一の部品４８２の残りの部分よりも剛性が高いものでもよい。容器アセンブリの取り付け具へのこの接続及び他の接続の別の手法は、ボストンシェーカー（Ｂｏｓｔｏｎ  ｓｈａｋｅｒ）接続、ヒンジ及びラッチ構成、又はディテント（ｄｅｔｅｎｔ）とシール係合を含んでもよい。さらに、ここでは、漏斗及び第二の部品は、単一の構造、又は複数の部品を画定してもよい。
【００４６】
図２７Ａ−Ｂを参照して、容器アセンブリ４９０は代わりに、本体４９２、及び本体４９２とシールして嵌合する漏斗４９４の２つの部品から形成されてもよい。漏斗は、本体４９２の第一の外側に形成される開口部と嵌合するベース４９５と、母乳搾乳システムによって汲み上げられた母乳を受け取るための容器を形成するために漏斗４９４の乳首受け部分が本体４９２の第二の内側に形成された開口部と嵌合する外面とを含む。組み立てられると、容器アセンブリ４９０は、容器アセンブリの外周部が母乳搾乳アセンブリの残りの部分と嵌合して、母乳搾乳システムを完成させる。さらに、前と同様に、容器アセンブリ４９０は、容器アセンブリ４９０に母乳を輸送する導管と嵌合し、これを受ける構造を含み、漏斗４９４及び本体４９２の第一の外側は、ユーザの胸と係合する構造を画定する。図２８に示すように、容器アセンブリ４９０は、本体４９２に形成される凹部４９７と嵌合するタブ４９６を含む漏斗４９４をさらに具現化することができる。この構造的配置は、漏斗４９４を本体４９２に適切に組み立てることでユーザを助ける。さらなる別の手法（図２９）において、本体４９２は、スカロップ状のエッジ（ｓｃａｌｌｏｐｅｄ  ｅｄｇｅ）に沿って嵌合する底部５０２及び頂部５０４の２つの部品から形成されてもよい。ここで、頂部５０４は、取り外し可能で底部５０２に対してシールされてもよい。
【００４７】
図３０Ａ−Ｂに示されるように、容器アセンブリ５１０は、バイステーブルポート（ｂｉ−ｓｔａｂｌｅ  ｐｏｒｔ）領域５１６のためのエラストマー領域を含むカバー又は蓋５１４と嵌合するように構成されるフランジ５１２によって画定されてもよい。フランジ５１２と蓋５１４との間の係合外周に沿ってシール構造がある。蓋はさらに、容器アセンブリが母乳搾乳システムの残りの部分に接続されていることの通知を容易にするストライクプレート又はホール効果アクチュエータ部材５１８を含んでもよい。図３０Ａに最もよく示されるように、エラストマー領域５１６は、容器アセンブリ５１０内で受け取った母乳を貯蔵するためのキャップ５１９を有することができる注ぎ構造を示すように、その拡張された構成に配置されてもよい。エラストマー領域５１６は、母乳を容器アセンブリ５１０に汲み上げる導管と嵌合する構造をさらに含む。
【００４８】
関連する手法（図３１）において、容器アセンブリ５２０は、２つの部品のアセンブリで具現化される。第一の部品５２２は、フランジ及び胸部係合構造、及び容器アセンブリ５２０の底部を組み込む。別個の、取り外し可能なキャップ及び弁アセンブリ５２４は、容器アセンブリ５２０を完成させるために第一の部品と嵌合するように構成される。汲み上げられる母乳を容器アセンブリに送達する導管に接続するのは、キャップ及び弁アセンブリ５２４である。
【００４９】
また、図３２Ａ−Ｂに示されるように、容器アセンブリ５３０はまた、接続エッジに沿ってオーバーモールドされたシール５３５を含むカバー又は蓋５３４と嵌合するように構成されるフランジ５３２、及びオーバーモールドされたシール５３５を備えるキャップ５３６を含んでもよい。キャップの様々な構成もまた考えられる。さらに、関連する手法において、ビールワックス（ｂｅｅｒ  ｗａｘ）を本実施形態のカバーの材料として使用可能であり、又はビールワックスを様々な所望の形状及び外周に切断又は成形することによって容器アセンブリの他の手法として使用可能であり、そのような材料は、洗浄して再利用することができる。代わりに、ビールワックス材料を採用して容器全体を形成してもよい。いずれの手法においても、ビールワックス材料の端部は、容器アセンブリを形成するためのシールを形成するために一緒に圧縮され、同じことは再利用可能な装置を定義することができる。
【００５０】
容器アセンブリの様々な追加の実施形態が図３３Ａ−Ｆに示されており、容器アセンブリの開示された手法のいずれにも組み込むことができる特徴を含む。例えば図３３Ａ−Ｂに示すように、容器アセンブリ５４０は、本体５４２及びキャップ５４４を含んでもよく、ここで本体５４２は、注ぎ用開口部５４５を有する水筒に類似しており、本体５４２の上部に構成される。本体５４２はまた、胸係合構造と乳首受け部とを含む。キャップ５４４は、アセンブリを完成させ、汲み上げられた母乳を運ぶ導管と嵌合するように意図された構造と、そのような接続から本体の上部に形成された充填孔５４６への経路との両方を含む。上述の実施形態と同様に、完成された容器アセンブリは、母乳搾乳システムを完成させ、それに応じて、それに取外し可能に嵌合するように構成される。
【００５１】
さらに、図３３Ｃ−Ｄに示すように、容器アセンブリ５５０は、加えて又は代わりに上側部分５５２及び下側部分５５４を含んでもよい。容器アセンブリ５５０の一方の側では、上側部分及び下側部分は、乳房を受けるためのフランジを形成するように協働し、反対側では、下側部分が、乳首を受ける部分を画定する構造、及びその外側部分５５５を含む。容器アセンブリ５５０はさらに、上側部分５５２から延びるフープ（ｈｏｏｐ）５５６を含み、このフープ５５６は、このようにして部品間の取り付け部材として機能するように乳首受け部５５５の外側近くに配置されるようなサイズ、形状、構成を有する。
【００５２】
次に図３３Ｅ及び３３Ｆを参照すると、容器アセンブリに組み込むことができるさらなる特徴が提示されている。注目すべきことに、図３３Ｅは、容器アセンブリの第一の部品５６４の外周から延びるフラップ５６２を含み、容器アセンブリの第二の部品５６６に形成された凹部に適合して取り付けられるようなサイズ及び形状を有している容器アセンブリ５６０を示す。この手法では、第一の部品５６４は、フランジとして機能する構造を含み、乳首受け部５６７を含む。この第一の部品５６４の様々なサイズが、異なる乳房サイズを収容するために提供されることが考えられる。図３３Ｆに描かれた２つの部品からなる容器の手法５７０は、カバー部材５７４の外周から延びる一対の折り畳み可能なアーム５７２を含むことを特徴とするが、しかし、そのような構造をいずれの容器アセンブリ部品が含んでもよい。
【００５３】
さらに、回転するカバー５８０（図３４）は、開示された容器アセンブリのいずれかの外部表面に取り付けられてもよい。閉じた構成にあるとき、カバー５８０は、容器アセンブリ５８２の外部表面と面一に横たわり、アセンブリ内への進入口をシールする。容器アセンブリ５９０は、さらに、又は代わりに、乳首受け部５９４の外部表面に対してスライドして回転するロックリング（ｌｏｃｋｉｎｇ  ｒｉｎｇ）５９２（図３５Ａ−Ｂ）を含んでもよい。ロックリング５９２（図３５Ａ）の半回転は、例えば、組立目的で容器アセンブリ５９０の嵌め合い部品を一緒に引っ張ることができる。関連する手法において、ロックリング５９２は、フランジを容器アセンブリにロックすることを達成するために、容器アセンブリから延びる突起５９５の上でロックするタブ５９３を含む。
【００５４】
図３６Ａ−Ｉに示すように、容器アセンブリは、乳房ポンプシステム内に適合するように、及びポンプで汲み上げられた母乳を含む導管と嵌合するように、サイズ及び形状が設定される再利用可能な袋容器アセンブリ６００の中に具現化されてもよい。図３６Ａに示すように、再利用可能な袋容器アセンブリ６００は、母乳搾乳システム内の利用可能な空間全部を占めるように構成されてもよい。図３６Ｂ−Ｄに示すように、容器アセンブリ６００は、加えて、又は代わりに、ボタン、スナップ、磁石及び／又はベルクロ（登録商標）（Ｖｅｌｃｒｏ）６０４を備えた、閉じた構成でアセンブリをシールするための開放又は部分的に開放された下端６０２を含んでもよい。母乳搾乳システムの内部に配置されると、容器アセンブリの下部６０２は、それ自体に折り畳まれ、シール手段を採用して閉じられる。関連する方法（図３６Ｅ−Ｆ）において、容器アセンブリ６００の上部部分６１０は、容器６００をシールするために折り畳まれる。示されるように、上部部分６１０は、容器内に構成される取り付け具６１４の上に適合するようなサイズ及び形状を有する穴６１２を含む。また、図３６Ｇ−Ｈに示すように、容器アセンブリ６００は、アセンブリの内部へのアクセス、及び収集された母乳を注ぐための便利なポートを提供する取り外し可能なキャップ６１８を含んでもよい。図３６１は、母乳搾乳システムの内部の構造の周りを取り囲む円筒を形成する袋容器アセンブリ６３０を示す。このアセンブリの一端には、構造を閉じた構成にシールする交換可能なクランプ６３２が構成される。
【００５５】
図３６１は、ジップロック（登録商標）（ｚｉｐ−ｌｏｃｋ）シール構造６４２を有する優れたエッジを含む再利用可能な袋容器アセンブリ６４０を示す。そのような構造は、母乳搾乳システムにおける使用のために、及び所望される場合は保管のために、アセンブリ６４０を便利にシールする。アセンブリ６４０の内容物は、ジップロック（登録商標）シールを分離することによって取り外すことができる。さらに、図３７Ａ−Ｃに示すように、一方向弁、注ぎストッパ装置６５０を、ここに記載される容器アセンブリの１つ又はそれ以上に組み込むことができる。この装置は、一方向弁部６５４を注ぎ口ストッパ部分６５６に接続するストラップ６５２を含む。把持用のタブ６５８もまた、装置のターミナル端に設けられる。図３７Ａ−Ｂに最もよく示されるように、この装置６５０は、フランジ又は他の容器アセンブリに取り付けることができ、制御された注入口、及び収集した母乳を注ぐためのポートの両方として機能する。
【００５６】
図３８Ａ−Ｇを参照して、容器アセンブリの注ぎ口６６０の様々な代替的手法が示される。容器アセンブリは、汲み上げ、輸送、及び貯蔵の間に注ぎ口をシールするためのキャップを有してもよい。キャップは、様々な形状、サイズであり得て、容器アセンブリの様々な位置に配置される注ぎ口と嵌合するように構成される。したがって、注ぎ口６６０は、異なる形状を示し得て、それぞれが、容器アセンブリの内部を容易に清掃するためのブラシ又はその他の清掃装置を収容することができる。注ぎ口６６０の近くに形成されるリップ６６２は、制御された母乳の移送を容易にし、こぼれを最小化する。さらに、特定の注ぎ口形状は、搾乳アセンブリを備えて、及び備えずに、複数の方向から注ぐことを可能とする。したがって、注ぎ口は、例えば、一方の側に偏っていてもよいし、容器の上面中央にあってもよい。
【００５７】
キャップ６７０に対する他の様々な手法もまた、容器アセンブリ内に形成される注ぎ口をシールするために含まれ、及び／又は様々な一体型注ぎ口が形成される、又は容器アセンブリに取り付けられる（図３９Ａ−Ｇ参照）。キャップは、独立式、ひも付き（ｔｅｔｈｅｒｅｄ）、折り畳み式、容器アセンブリにスナップ留めされる、又はオーバーモールドされたものであってもよい。さらに、注ぎ口をシールすることに加えて、キャップは、容器の外への母乳の移送を容易にするためのリップ又は注ぎ口を提供することを補助することもできる。すなわち、キャップ６７０は、ひも６７２（図３９Ａ）、注ぎ口は、フリップアップストロー６７４（図３９Ｂ）として具現化することができるか、内部注ぎ口６７６（図３９Ｃ）、リップ付きキャップ６７８（図３９Ｄ）、折り畳み注ぎ口６８０（図３９Ｅ−Ｆ）、キャップ付き注ぎ口６８２（図３９Ｇ）、又は引き抜き注ぎ口６８４（図３９Ｈ）のうちの１つ又はそれ以上を含んでもよい。
【００５８】
容器アセンブリを換気するための追加の手法が、図４０Ａ−Ｋに示される。１つの手法（図４０Ａ）において、流体が容器を充填する際に空気を解放することを可能とするために、貫通孔６９０が容器アセンブリに設けられる。そのような貫通孔は、注ぎ口と同じ開口部であってもよく、又は別個の構造を画定してもよい。代わりに、貫通孔は、注ぎ口のキャップに組み込んでもよい。蓄積空気圧の解放を可能とするために開口部を開閉するように機能する構造をさらに有してもよい。このように、閉鎖構造は、スライドドア構造６９２（図４０Ｂ）、枢動又は回転ドア６９４（図４０Ｃ−Ｄ）、回転又はねじれカム構造６９６（図４０Ｅ）、又はねじれ可能なキャップ６９８（図４０Ｆ）として具現化することができる。代わりに又は加えて、換気構造は、注ぎ口又は他の場所のような容器に一体化された、アンブレラバルブ、ダックビルバルブ、又はダイアフラム構成などの弁７０２（図４０Ｇ）を含んでもよく、容器が流体で満たされる際に空気圧が解放されることを可能とする。この手法はまた、ユーザが動き回る際に液体がこぼれる可能性を最小化するように機能する。キャップがさらに提供され、弁をシールし、プラグ又は記載されたいずれかの構造を画定してもよい。
【００５９】
さらに、図４０Ｈに示すように、２つの弁７０２が容器と一体化され、容器上部に位置する１つの弁がより低いクラック圧力を示し、搾乳セッションの間に空気がそこから放出されることを可能とする。ここで、ユーザは、搾乳セッションを完了するときに上部の弁にキャップをつけ、その後、フリップを実行して終了する。底部の弁は、容器が反転されているときに終了するためのフリップの間に空気の解放を可能にする高いクラック圧力を有する。弁の代わりに、多孔質ＰＴＦＥ膜を換気機能のために採用することができ、膜は空気の流れを許容するが、流体の流れを防ぐことができると認識されたい。また、膜は疎水性、及び／又は疎油性であってもよく、膜は、標準的な搾乳の間だけでなく、終了のためのフリップの間にも空気が解放されるように、容器の上部及び底部の近くに配置されてもよい。さらに、親水性ＰＴＦＥ膜も、ユーザが搾乳の開始時に注ぎ口の上にＰＴＦＥ膜スティックを適用する単一の使用であってもよい。搾乳が完了すると、液体がＰＴＦＥ膜に接触し、ユーザが母乳を別の容器に移す準備ができるまで、膜を閉じるようにシールするキャップとして機能する。
【００６０】
一態様において、容器の上部近くに、自然に開いたままで換気する単一の弁が提供されてもよいが、液面が上昇すると、圧力の上昇に応答して弁が閉じる。単一の換気手法では、容器はさらに、終了のためのフリップなどの搾乳プロセスの最終段階で空気や母乳が追加されると圧力が上昇して膨張する内部ダイアフラムを含むことができ、したがって、第二の弁の必要がなくなる。図４０１に示すように、容器アセンブリは、加えて又は代わりに、チャネル７０６内に乗って外部に開口するように構成される１つ又はそれ以上の弾性ボール７０４を含んでもよい。流体が容器に入ると、空気はチャネルを通って放出される。終了のためにフリップすると、流体の重量がボール７０４に押し、チャネル７０６への開口部をシールする。
【００６１】
図４０Ｊに示すように、弁は、キャップ７１０内に設計することができ、キャップは、ダイアフラム又はダックビルバルブ７１２を含むエラストマー層を含む。搾乳の後、ユーザはキャップ７１０を閉じて弁７１２の上にシールする。図４０Ｋに示すように、容器は、容器が流体で満たされる際に空気を排除させるように機能する内部チャネル７２０を加えて又は代わりに含んでもよい。空気は、上端からチャネル７２０に入り、容器の底部から出る。ユーザが終了のためのフリップを行うと、容器は反転され、それにより、チャネル７２０を流体で満たすことが可能となる。
【００６２】
このように、搾乳ポンプシステムのための容器アセンブリ及び取り付け具の様々な手法及び特徴が提示されている。開示された特徴及び構造の各々は、便利で効果的な構造を定義するために、容器アセンブリ又は母乳搾乳システムの特定の手法に組み込むことができる。
【００６３】
本開示を、その特有の実施形態を参照して説明してきたが、本開示の真の趣旨及び範囲から逸脱することなくさまざまな変更を加えてよく、等価物を代用してよいことが、当業者によって理解されるべきである。加えて、多くの変形形態が、特定の状況、材料、物質の組成、プロセス、プロセスステップ又はその複数のステップを、本開示の目的、趣旨及び範囲に適合するようにされてよい。すべてのそのような改変形態は、本開示の範囲内に入るように意図される。
【図１Ａ】
2021525133.tif 000003
【図１Ｂ】
2021525133.tif 000004
【図２Ａ】
2021525133.tif 000005
【図２Ｂ】
2021525133.tif 000006
【図３】
2021525133.tif 000007
【図４】
2021525133.tif 000008
【図５Ａ】
2021525133.tif 000009
【図５Ｂ】
2021525133.tif 000010
【図５Ｃ】
2021525133.tif 000011
【図６Ａ】
2021525133.tif 000012
【図６Ｂ】
2021525133.tif 000013
【図６Ｃ】
2021525133.tif 000014
【図６Ｄ】
2021525133.tif 000015
【図６Ｅ】
2021525133.tif 000016
【図６Ｆ】
2021525133.tif 000017
【図６Ｇ】
2021525133.tif 000018
【図７】
2021525133.tif 000019
【図８Ａ】
2021525133.tif 000020
【図８Ｂ】
2021525133.tif 000021
【図９】
2021525133.tif 000022
【図１０】
2021525133.tif 000023
【図１１】
2021525133.tif 000024
【図１２Ａ】
2021525133.tif 000025
【図１２Ｂ】
2021525133.tif 000026
【図１２Ｃ】
2021525133.tif 000027
【図１３Ａ】
2021525133.tif 000028
【図１３Ｂ】
2021525133.tif 000029
【図１３Ｃ】
2021525133.tif 000030
【図１３Ｄ】
2021525133.tif 000031
【図１３Ｅ】
2021525133.tif 000032
【図１４Ａ】
2021525133.tif 000033
【図１４Ｂ】
2021525133.tif 000034
【図１４Ｃ】
2021525133.tif 000035
【図１４Ｄ】
2021525133.tif 000036
【図１５Ａ】
2021525133.tif 000037
【図１５Ｂ】
2021525133.tif 000038
【図１５Ｃ】
2021525133.tif 000039
【図１５Ｄ】
2021525133.tif 000040
【図１５Ｅ】
2021525133.tif 000041
【図１５Ｆ】
2021525133.tif 000042
【図１５Ｇ】
2021525133.tif 000043
【図１５Ｈ】
2021525133.tif 000044
【図１５Ｉ】
2021525133.tif 000045
【図１５Ｊ】
2021525133.tif 000046
【図１５Ｋ】
2021525133.tif 000047
【図１５Ｌ】
2021525133.tif 000048
【図１５Ｍ】
2021525133.tif 000049
【図１５Ｎ】
2021525133.tif 000050
【図１５Ｏ】
2021525133.tif 000051
【図１５Ｐ】
2021525133.tif 000052
【図１６Ａ】
2021525133.tif 000053
【図１６Ｂ】
2021525133.tif 000054
【図１７Ａ】
2021525133.tif 000055
【図１７Ｂ】
2021525133.tif 000056
【図１８】
2021525133.tif 000057
【図１９Ａ】
2021525133.tif 000058
【図１９Ｂ】
2021525133.tif 000059
【図１９Ｃ】
2021525133.tif 000060
【図２０Ａ】
2021525133.tif 000061
【図２０Ｂ】
2021525133.tif 000062
【図２０Ｃ】
2021525133.tif 000063
【図２１Ａ】
2021525133.tif 000064
【図２１Ｂ】
2021525133.tif 000065
【図２２Ａ】
2021525133.tif 000066
【図２２Ｂ】
2021525133.tif 000067
【図２３Ａ】
2021525133.tif 000068
【図２３Ｂ】
2021525133.tif 000069
【図２４Ａ】
2021525133.tif 000070
【図２４Ｂ】
2021525133.tif 000071
【図２４Ｃ】
2021525133.tif 000072
【図２５Ａ】
2021525133.tif 000073
【図２５Ｂ】
2021525133.tif 000074
【図２６】
2021525133.tif 000075
【図２７Ａ】
2021525133.tif 000076
【図２７Ｂ】
2021525133.tif 000077
【図２８】
2021525133.tif 000078
【図２９】
2021525133.tif 000079
【図３０Ａ】
2021525133.tif 000080
【図３０Ｂ】
2021525133.tif 000081
【図３１】
2021525133.tif 000082
【図３２Ａ】
2021525133.tif 000083
【図３２Ｂ】
2021525133.tif 000084
【図３３Ａ】
2021525133.tif 000085
【図３３Ｂ】
2021525133.tif 000086
【図３３Ｃ】
2021525133.tif 000087
【図３３Ｄ】
2021525133.tif 000088
【図３３Ｅ】
2021525133.tif 000089
【図３３Ｆ】
2021525133.tif 000090
【図３４】
2021525133.tif 000091
【図３５Ａ】
2021525133.tif 000092
【図３５Ｂ】
2021525133.tif 000093
【図３６Ａ】
2021525133.tif 000094
【図３６Ｂ】
2021525133.tif 000095
【図３６Ｃ】
2021525133.tif 000096
【図３６Ｄ】
2021525133.tif 000097
【図３６Ｅ】
2021525133.tif 000098
【図３６Ｆ】
2021525133.tif 000099
【図３６Ｇ】
2021525133.tif 000100
【図３６Ｈ】
2021525133.tif 000101
【図３６Ｉ】
2021525133.tif 000102
【図３６Ｊ】
2021525133.tif 000103
【図３７Ａ】
2021525133.tif 000104
【図３７Ｂ】
2021525133.tif 000105
【図３７Ｃ】
2021525133.tif 000106
【図３８Ａ】
2021525133.tif 000107
【図３８Ｂ】
2021525133.tif 000108
【図３８Ｃ】
2021525133.tif 000109
【図３８Ｄ】
2021525133.tif 000110
【図３８Ｅ】
2021525133.tif 000111
【図３８Ｆ】
2021525133.tif 000112
【図３８Ｇ】
2021525133.tif 000113
【図３８Ｈ】
2021525133.tif 000114
【図３８Ｉ】
2021525133.tif 000115
【図３８Ｊ】
2021525133.tif 000116
【図３８Ｋ】
2021525133.tif 000117
【図３９Ａ】
2021525133.tif 000118
【図３９Ｂ】
2021525133.tif 000119
【図３９Ｃ】
2021525133.tif 000120
【図３９Ｄ】
2021525133.tif 000121
【図３９Ｅ】
2021525133.tif 000122
【図３９Ｆ】
2021525133.tif 000123
【図３９Ｇ】
2021525133.tif 000124
【図３９Ｈ】
2021525133.tif 000125
【図４０Ａ】
2021525133.tif 000126
【図４０Ｂ】
2021525133.tif 000127
【図４０Ｃ】
2021525133.tif 000128
【図４０Ｄ】
2021525133.tif 000129
【図４０Ｅ】
2021525133.tif 000130
【図４０Ｆ】
2021525133.tif 000131
【図４０Ｇ】
2021525133.tif 000132
【図４０Ｈ】
2021525133.tif 000133
【図４０Ｉ】
2021525133.tif 000134
【図４０Ｊ】
2021525133.tif 000135
【図４０Ｋ】
2021525133.tif 000136
【国際調査報告】
2021525133.tif 000137